(57)【要約】【課題】本発明は、ＶｏＩＰサービスとＰＳＴＮサービスを簡単且つ自動的に切替えることができるサービス切替え方法を提供する。【解決手段】本発明のサービス切替え方法は、複数のタイムスロットを備える時間分割データバスを提供するステップと、ユーザー・インタフェース・モジュールを介して、電話番号を受信するステップと、電話番号に基づいて、必要とするサービスが第一サービスであるかどうかを判断するステップと、もし必要とするサービスが第一サービスであれば、ユーザー・インタフェース・モジュール及び第一処理モジュールに第一タイムスロットを割り当てるステップと、ユーザー・インタフェース・モジュール及び第一処理モジュールは、第一タイムスロットに基づいて、時間分割データバスによって、データを受信したり送信したりするステップとを備える。【選択図】図３
2008099258.tif 000002
【特許請求の範囲】
【請求項１】
ネットワーク音声通信装置であって、
複数のタイムスロットを備える第一時間分割データバスと、
対応する電話機から一つの電話番号を受信する少なくとも一つのユーザー・インタフェース・モジュールと、
前記電話番号に基づいて、必要とするサービスが第一サービスか第二サービスかを判断する切替え制御モジュールと、
前記切替え制御モジュールの判断結果に基づいて、前記ユーザー・インタフェース・モジュールに第一タイムスロット又は第二タイムスロットを割り当てる電話インタフェース・モジュールと、
前記第一時間分割データバスを介して、前記ユーザー・インタフェース・モジュールに接続された第一処理モジュールと、
前記第一時間分割データバスを介して、前記ユーザー・インタフェース・モジュールに接続された第二処理モジュールと、
を備え、
必要とするサービスが第一サービスである場合、前記第一処理モジュールに第一タイムスロットを割り当て、且つ前記第一処理モジュール及び前記ユーザー・インタフェース・モジュールは、前記第一タイムスロットに基づき、前記第一時間分割データバスによって、データを受信したり送信したりし、
必要とするサービスが第二サービスである場合、前記第二処理モジュールに第二タイムスロットを割り当て、且つ前記第二処理モジュール及び前記ユーザー・インタフェース・モジュールは、前記第二タイムスロットに基づき、前記第一時間分割データバスによって、データを受信したり送信したりする、
ことを特徴とするネットワーク音声通信装置。
【請求項２】
前記ユーザー・インタフェース・モジュールは、加入者回線インタフェース回路であることを特徴とする請求項１に記載のネットワーク音声通信装置。
【請求項３】
前記第一時間分割データバスは、パルスコード変調バスであることを特徴とする請求項１に記載のネットワーク音声通信装置。
【請求項４】
前記電話インタフェース・モジュール及び前記ユーザー・インタフェース・モジュールを接続する第一コントロール・バスを更に備えることを特徴とする請求項１に記載のネットワーク音声通信装置。
【請求項５】
前記第一コントロール・バスは、シリアル・バスであることを特徴とする請求項４に記載のネットワーク音声通信装置。
【請求項６】
前記切替え制御モジュールは、必要とするサービスが第一サービスである場合、前記電話インタフェース・モジュールに第一命令を伝送し、且つ前記第一処理モジュールに第二命令を伝送し、
前記電話インタフェース・モジュールは、前記第一命令に基づいて、前記ユーザー・インタフェース・モジュールに第一タイムスロットを割り当てることを特徴とする請求項１に記載のネットワーク音声通信装置。
【請求項７】
前記第一処理モジュールは、少なくとも一つのデジタルシグナルプロセッサー及び一つの第一サービスモジュールを備え、
前記デジタルシグナルプロセッサーは、前記第一時間分割データバスを介して、少なくとも一つのユーザー・インタフェース・モジュールに接続され、
前記第一サービスモジュールは、第二命令に基づいて、前記ユーザー・インタフェース・モジュールに一つのデジタルシグナルプロセッサーを割り当て、且つ割り当てられたデジタルシグナルプロセッサーに前記第一タイムスロットを割り当て、
前記ユーザー・インタフェース・モジュール及び割り当てられたデジタルシグナルプロセッサーは、第一タイムスロットに基づいて、前記第一時間分割データバスよって、データを受信したり送信したりすることを特徴とする請求項６に記載のネットワーク音声通信装置。
【請求項８】
前記切替え制御モジュールは、必要とするサービスが第一サービスである場合、前記第一サービスモジュールに、前記ユーザー・インタフェース・モジュールの識別子を伝送し、
前記第一サービスモジュールは、前記ユーザー・インタフェース・モジュールの識別子及び前記タイムスロットの対応関係を貯蔵し、
前記第一サービスモジュールは、第二命令と、前記ユーザー・インタフェース・モジュールの識別子と、前記ユーザー・インタフェース・モジュールの識別子及び前記タイムスロットの対応関係とに基づいて、割り当てられたデジタルシグナルプロセッサーに第一タイムスロットを割り当てることを特徴とする請求項７に記載のネットワーク音声通信装置。
【請求項９】
前記第一処理モジュールは、前記第一サービスモジュール及び前記デジタルシグナルプロセッサーを接続する第二コントロール・バスを更に備えることを特徴とする請求項７に記載のネットワーク音声通信装置。
【請求項１０】
前記第二コントロール・バスは、パラレル・バスであることを特徴とする請求項９に記載のネットワーク音声通信装置。
【請求項１１】
前記第一処理モジュールは、ネットワークモジュールを更に備え、前記第一ネットワークから受信したリアルタイム輸送プロトコルパケットをリアルタイム輸送プロトコルデータに変換し、且つ前記デジタルシグナルプロセッサーから受信したリアルタイム輸送プロトコルデータをリアルタイム輸送プロトコルパケットに変換することを特徴とする請求項７に記載のネットワーク音声通信装置。
【請求項１２】
前記ユーザー・インタフェース・モジュールは、対応する電話機から受信したアナログ信号をデジタル信号に変換し、且つ前記デジタルシグナルプロセッサーが受信したデジタル信号をアナログ信号に変換することに用いられ、
前記デジタルシグナルプロセッサーは、前記ユーザー・インタフェース・モジュールから受信したデジタル信号をリアルタイム輸送プロトコルデータに変換し、且つ前記ネットワークモジュールから受信したリアルタイム輸送プロトコルデータをデジタル信号に変換することに用いられることを特徴とする請求項１１に記載のネットワーク音声通信装置。
【請求項１３】
前記切替え制御モジュールは、必要とするサービスが第二サービスである場合、前記電話インタフェース・モジュールに第三命令を伝送し、且つ前記第二処理モジュールに第四命令を伝送し、
前記電話インタフェース・モジュールは、前記第三命令に基づいて、前記ユーザー・インタフェース・モジュールに第二タイムスロットを割り当てることを特徴とする請求項１に記載のネットワーク音声通信装置。
【請求項１４】
前記第二処理モジュールは、一つの時間分割切替えモジュール及び一つの第二サービスモジュールを備え、
前記時間分割切替えモジュールは、前記第一時間分割データバスを介して、前記ユーザー・インタフェース・モジュールに接続されており、
前記第二サービスモジュールは、前記第四命令に基づいて、前記時間分割切替えモジュールに第二タイムスロットを割り当て、
前記ユーザー・インタフェース・モジュール及び前記時間分割切替えモジュールは、前記第二タイムスロットに基づいて、前記第一時間分割データバスによって、データを受信したり送信したりすることを特徴とする請求項１３に記載のネットワーク音声通信装置。
【請求項１５】
前記切替え制御モジュールは、必要とするサービスが第二サービスである場合、前記第二サービスモジュールに前記ユーザー・インタフェース・モジュールの識別子を伝送し、
前記第二サービスモジュールは、前記ユーザー・インタフェース・モジュールの識別子及び前記タイムスロットの対応関係を貯蔵し、
前記第二サービスモジュールは、前記第四命令と、前記ユーザー・インタフェース・モジュールの識別子と、前記ユーザー・インタフェース・モジュールの識別子及び前記タイムスロットの対応関係とに基づいて、時間分割切替えモジュールに第二タイムスロットを割り当てることを特徴とする請求項１４に記載のネットワーク音声通信装置。
【請求項１６】
前記第二処理モジュールは、前記第二サービスモジュール及び前記時間分割切替えモジュールを接続する第三コントロール・バスを更に備えることを特徴とする請求項１４に記載のネットワーク音声通信装置。
【請求項１７】
前記第三コントロール・バスは、パラレル・バスであることを特徴とする請求項１６に記載のネットワーク音声通信装置。
【請求項１８】
前記第二処理モジュールは、前記第二時間分割データバスを介して、前記時間分割切替えモジュールに接続される同期輸送モジュールを更に備え、
前記第二ネットワークから受信したＥ１/Ｔ１信号をデジタル信号に変換し、且つ前記時間分割切替えモジュールから受信したデジタル信号をＥ１/Ｔ１信号に変換することを特徴とする請求項１４に記載のネットワーク音声通信装置。
【請求項１９】
前記ユーザー・インタフェース・モジュールは、対応する電話機から受信したアナログ信号をデジタル信号に変換し、且つ前記時間分割切替えモジュールから受信したデジタル信号をアナログ信号に変換することに用いられ、
前記時間分割切替えモジュールは、前記同期輸送モジュールから受信したデジタル信号を第三タイムスロットから第二タイムスロットに切替え、且つ前記ユーザー・インタフェース・モジュールから受信したデジタル信号を第二タイムスロットから第三タイムスロットに切替えることに用いられることを特徴とする請求項１８に記載のネットワーク音声通信装置。
【請求項２０】
複数のタイムスロットを備える時間分割データバスを提供するステップと、
ユーザー・インタフェース・モジュールを介して、電話番号を受信するステップと、
前記電話番号に基づいて、必要とするサービスが第一サービスであるかどうかを判断するステップと、
もし必要とするサービスが前記第一サービスである場合、前記ユーザー・インタフェース・モジュール及び第一処理モジュールに第一タイムスロットを割り当てるステップと、
前記ユーザー・インタフェース・モジュール及び前記第一処理モジュールは、第一タイムスロットに基づいて、前記時間分割データバスによって、データを受信したり送信したりするステップと、
を備えることを特徴とするサービス切替え方法。
【請求項２１】
前記ユーザー・インタフェース・モジュールは、加入者回線インタフェース回路であることを特徴とする請求項２０に記載のサービス切替え方法。
【請求項２２】
前記時間分割データバスは、パルスコード変調バスであることを特徴とする請求項２０に記載のサービス切替え方法。
【請求項２３】
前記ユーザー・インタフェース・モジュール及び第一処理モジュールに第一タイムスロットを割り当てるステップは、
第一命令及び第二命令を伝送するステップと、
前記第一命令に基づいて、前記ユーザー・インタフェース・モジュールに前記第一タイムスロットを割り当てるステップと、
前記第二命令に基づいて、前記ユーザー・インタフェース・モジュールにデジタルシグナルプロセッサーを割り当て、且つ割り当てられたデジタルシグナルプロセッサーに前記第一タイムスロットを割り当てるステップと、
を備えることを特徴とする請求項２０に記載のサービス切替え方法。
【請求項２４】
電話インタフェース・モジュールを介して、切替え制御モジュールに前記電話番号及び前記ユーザー・インタフェース・モジュールの識別子を告げるステップを更に備えることを特徴とする請求項２３に記載のサービス切替え方法。
【請求項２５】
前記ユーザー・インタフェース・モジュール及び第一処理モジュールに第一タイムスロットを割り当てるステップは、
前記切替え制御モジュールを介して、前記第一処理モジュールに前記ユーザー・インタフェース・モジュールの識別子を伝送するステップを更に備えることを特徴とする請求項２４に記載のサービス切替え方法。
【請求項２６】
前記ユーザー・インタフェース・モジュール及び第一処理モジュールに第一タイムスロットを割り当てるステップは、
前記第二命令と、前記ユーザー・インタフェース・モジュールの識別子と、前記ユーザー・インタフェース・モジュールの識別子及び前記複数のタイムスロットの対応関係とに基づいて、割り当てられたデジタルシグナルプロセッサーに前記第一タイムスロットを割り当てるステップを更に備えることを特徴とする請求項２５に記載のサービス切替え方法。
【請求項２７】
前記ユーザー・インタフェース・モジュール及び前記第一処理モジュールが、第一タイムスロットに基づいて、前記時間分割データバスによって、データを受信したり送信したりするステップは、
前記ユーザー・インタフェース・モジュール及び割り当てられたデジタルシグナルプロセッサーが、前記第一タイムスロットに基づいて、前記時間分割データバスによって、データを受信したり送信したりするステップを備えることを特徴とする請求項２３に記載のサービス切替え方法。
【請求項２８】
必要とするサービスが第一サービスではない時、前記ユーザー・インタフェース・モジュール及び第二処理モジュールに第二タイムスロットを割り当てるステップと、
前記ユーザー・インタフェース・モジュール及び前記第二処理モジュールは、前記第二タイムスロットに基づいて、前記時間分割データバスによって、データを受信したり送信したりするステップと、
を更に備えることを特徴とする請求項２０に記載のサービス切替え方法。
【請求項２９】
前記ユーザー・インタフェース・モジュール及び第二処理モジュールに第二タイムスロットを割り当てるステップは、
第三命令及び第四命令を伝送するステップと、
前記第三命令に基づいて、前記ユーザー・インタフェース・モジュールに前記第二タイムスロットを割り当てるステップと、
前記第四命令に基づいて、前記第二処理モジュールに第二タイムスロットを割り当てるステップと、
を備えることを特徴とする請求項２８に記載のサービス切替え方法。
【請求項３０】
電話インタフェース・モジュールを介して、切替え制御モジュールに前記電話番号及び前記ユーザー・インタフェース・モジュールの識別子を告げるステップを更に備えることを特徴とする請求項２９に記載のサービス切替え方法。
【請求項３１】
前記ユーザー・インタフェース・モジュール及び第二処理モジュールに第二タイムスロットを割り当てるステップは、
前記切替え制御モジュールを介して、前記第二処理モジュールに前記ユーザー・インタフェース・モジュールの識別子を伝送するステップを更に備えることを特徴とする請求項３０に記載のサービス切替え方法。
【請求項３２】
前記ユーザー・インタフェース・モジュール及び第二処理モジュールに第二タイムスロットを割り当てるステップは、
前記第四命令と、前記ユーザー・インタフェース・モジュールの識別子と、前記ユーザー・インタフェース・モジュールの識別子及び前記複数のタイムスロットの対応関係とに基づいて、前記第二処理モジュールに前記第二タイムスロットを割り当てるステップを更に備えることを特徴とする請求項３１に記載のサービス切替え方法。
【発明の詳細な説明】
【技術分野】
【０００１】
本発明は、ネットワーク音声通信領域に関するものであり、特にネットワーク音声通信装置及び其のサービス切替え方法に関するものである。
【背景技術】
【０００２】
現在、通話サービスは、旧式電話サービスである公共交換電話ネットワーク（Ｐｕｂｌｉｃ  Ｓｗｉｔｃｈｅｄ  Ｔｅｌｅｐｈｏｎｅ  Ｎｅｔｗｏｒｋ，ＰＳＴＮ）サービス及びネットワーク音声通信（Ｖｏｉｃｅ  ｏｖｅｒ  Ｉｎｔｅｒｎｅｔ  Ｐｒｏｔｏｃｏｌ，ＶｏＩＰ）サービスを備える。前記ＰＳＴＮサービスは、すでに普段の電話通信に広く用いられ、電話機をＰＳＴＮに接続すると、使用者はＰＳＴＮサービスを受けることができる。前記ＶｏＩＰサービスは、開放型ネットワークを介して音声及び映像を転送しており、パケット（Ｐａｃｋｅｔ）化された音声を利用して通話サービスを提供する。これは、まるでネットワークを使って情報を伝送するかのようである。
【０００３】
ＶｏＩＰサービスの通話費用は、ＰＳＴＮサービスの通話費用より安いが、その通話品質は、ＰＳＴＮサービスほど安定していない。従って、ＶｏＩＰサービスとＰＳＴＮサービスを同時に提供するＶｏＩＰゲートウェイ（ｇａｔｅｗａｙ）が出現した。しかし、いかにして両種のサービスを簡単且つ自動的に切替えるかということが、ＶｏＩＰゲートウェイの設計の大きな挑戦となった。
【発明の開示】
【発明が解決しようとする課題】
【０００４】
本発明の第一の目的は、前記課題を解決し、両種のサービス間を切替えることができるネットワーク音声通信装置を提供することである。
【０００５】
本発明の第二の目的は、前記課題を解決し、両種のサービス間を切替えることができるサービス切替え方法を提供することである。
【課題を解決するための手段】
【０００６】
前記第一目的を達成するため、本発明に係るネットワーク音声通信装置は、一つの第一時間分割データバス（ｆｉｒｓｔ  ｔｉｍｅ  ｄｉｖｉｓｉｏｎ  ｄａｔａ  ｂｕｓ）と、少なくとも一つのユーザー・インタフェース・モジュールと、一つの切替え制御モジュールと、一つの電話インタフェース・モジュールと、一つの第一処理モジュールと、一つの第二処理モジュールとを備える。前記第一時間分割データバスは、複数のタイムスロット（ｔｉｍｅ  ｓｌｏｔ）を備える。前記少なくとも一つのユーザー・インタフェース・モジュールは、対応する電話機から一つの電話番号を受信する。前記切替え制御モジュールは、電話番号に基づいて、必要とするサービスが第一サービスか第二サービスかを判断する。前記電話インタフェース・モジュールは、前記切替え制御モジュールの判断結果に基づいて、ユーザー・インタフェース・モジュールに第一タイムスロット又は第二タイムスロットを割り当てる。前記第一処理モジュールは、第一時間分割データバスを介して、ユーザー・インタフェース・モジュールに接続されており、必要とするサービスが第一サービスである場合、第一タイムスロットを割り当てられる。前記ユーザー・インタフェース・モジュールと前記第一処理モジュールは、第一タイムスロットに基づいて、第一時間分割データバスによって、データを受信したり送信したりする。前記第二処理モジュールは、第一時間分割データバスを介して、ユーザー・インタフェース・モジュールに接続されており、必要とするサービスが第二サービスである場合、第二タイムスロットを割り当てられる。前記ユーザー・インタフェース・モジュールと第二処理モジュールは、第二タイムスロットに基づいて、第一時間分割データバスによって、データを受信したり送信したりする。
【０００７】
前記第二目的を達成するため、本発明に係るサービス切替え方法は、複数のタイムスロットを備える第一時間分割データバスを提供するステップと、ユーザー・インタフェース・モジュールを介して、電話番号を受信するステップと、電話番号に基づいて、必要とするサービスが第一サービスであるかどうかを判断するステップと、もし必要とするサービスが第一サービスである場合、ユーザー・インタフェース・モジュール及び第一処理モジュールに第一タイムスロットを割り当てるステップと、ユーザー・インタフェース・モジュール及び第一処理モジュールが、第一タイムスロットに基づいて、第一時間分割データバスによって、データを受信したり送信したりするステップとを備える。
【発明の効果】
【０００８】
本発明のネットワーク音声通信装置は、時間分割マルチプレクシング（ｔｉｍｅ−ｄｉｖｉｓｉｏｎ  Ｍｕｌｔｉｐｌｅｘｉｎｇ，ＴＤＭ）方式を利用して、第一サービス又は第二サービスを簡単且つ自動的に切替えることができる。
【発明を実施するための最良の形態】
【０００９】
図１は、本発明のネットワーク音声通信（Ｖｏｉｃｅ  ｏｖｅｒ  Ｉｎｔｅｒｎｅｔ  Ｐｒｏｔｏｃｏｌ，ＶｏＩＰ）装置の構成を示すブロック図である。本実施形態において、通信システムは、複数の電話機１００、一つのネットワーク音声通信装置２００、一つの第一ネットワーク３００及び一つの第二ネットワーク４００を備える。本実施形態において、前記ネットワーク音声通信装置２００は、ＶｏＩＰゲートウェイ（ｇａｔｅｗａｙ）であることができ、前記第一ネットワーク３００は、ＶｏＩＰネットワークであることができ、前記第二ネットワーク４００は、公共交換電話ネットワーク（Ｐｕｂｌｉｃ  Ｓｗｉｔｃｈｅｄ  Ｔｅｌｅｐｈｏｎｅ  Ｎｅｔｗｏｒｋ，ＰＳＴＮ）であることができる。複数の電話機１００は、前記ネットワーク音声通信装置２００に接続されており、さらにネットワーク音声通信装置２００を介して、前記第一ネットワーク３００及び第二ネットワーク４００に接続される。前記ネットワーク音声通信装置２００は、複数の電話機１００に第一サービス及び第二サービスを提供することができる。本実施形態において、前記第一サービスは、ＶｏＩＰサービスであることができ、第二サービスは、ＰＳＴＮサービスであることができる。
【００１０】
例えば、ユーザーが複数の電話機１００中の一つの電話機でＶｏＩＰ電話をかける時、前記ネットワーク音声通信装置２００は、前記電話機１００にＶｏＩＰサービスを提供する。ユーザーが複数の電話機１００中の一つの電話機でＰＳＴＮ電話をかける時、前記ネットワーク音声通信装置２００は、前記電話機１００にＰＳＴＮサービスを提供する。
【００１１】
本実施形態において、前記ネットワーク音声通信装置２００は、時間分割データバス（ｔｉｍｅ−ｄｉｖｉｓｉｏｎ  ｄａｔａ  ｂｕｓ）を備え、それは複数のタイムスロット（ｔｉｍｅ  ｓｌｏｔ）を備える。前記ネットワーク音声通信装置２００は、一つの電話番号を受信し、且つ前記電話番号に基づいて、必要とするサービスが第一サービスか第二サービスかを判断する。それから、時間分割マルチプレクシング（ｔｉｍｅ−ｄｉｖｉｓｉｏｎ  Ｍｕｌｔｉｐｌｅｘｉｎｇ，ＴＤＭ）方式を利用して、必要とするサービスに切替える。詳しく説明すると、必要とするサービスが第一サービスである場合、一つのユーザー・インタフェース・モジュール及び第一処理モジュールに第一タイムスロットを割り当てると、前記ユーザー・インタフェース・モジュール及び第一処理モジュールは、第一タイムスロットに基づいて、時間分割データバスによって、データを受信したり送信したりして、即ち第一サービスを提供する。必要とするサービスが第二サービスである場合、一つのユーザー・インタフェース・モジュール及び第二処理モジュールに第二タイムスロットを割り当てると、ユーザー・インタフェース・モジュール及び第二処理モジュールは、第二タイムスロットに基づいて、時間分割データバスによって、データを受信したり送信したりして、即ち第二サービスを提供する。
【００１２】
前記ネットワーク音声通信装置２００は、複数のユーザー・インタフェース・モジュール２１０と、一つの電話インタフェース・モジュール２２０と、一つの切替え制御モジュール２３０と、一つの第一処理モジュール２４０と、一つの第二処理モジュール２５０と、一つの第一コントロール・バス（Ｃｏｎｔｒｏｌ  Ｂｕｓ）２６０と、一つの第一時間分割データバス２７０とを備える。
【００１３】
前記第一コントロール・バス２６０は、複数のユーザー・インタフェース・モジュール２１０と電話インタフェース・モジュール２２０を接続することに用いられる。本実施形態において、前記第一コントロール・バス２６０は、シリアル・バス（Ｓｅｒｉａｌ  Ｂｕｓ）であることができ、例えば、シリアル・パケット・インタフェース（Ｓｅｒｉａｌ  Ｐａｃｋｅｔ  Ｉｎｔｅｒｆａｃｅ，ＳＰＩ）バスである。
【００１４】
前記第一時間分割データバス２７０は、複数のユーザー・インタフェース・モジュール２１０と、第一処理モジュール２４０及び第二処理モジュール２５０を接続することに用いられる。前記第一時間分割データバス２７０は、複数のタイムスロットを備える。本実施形態において、前記第一時間分割データバス２７０は、パルスコード変調（Ｐｕｌｓｅ  Ｃｏｄｅ  Ｍｏｄｕｌａｔｉｏｎ，ＰＣＭ）バスである。
【００１５】
複数のユーザー・インタフェース・モジュール２１０は、複数の電話機１００に対応するように接続されており、各ユーザー・インタフェース・モジュール２１０は、対応する電話機１００から電話番号を受信することに用いられ、且つ電話番号を電話インタフェース・モジュール２２０に告げる。本実施形態において、前記ユーザー・インタフェース・モジュール２１０は、加入者回線インタフェース回路（Ｓｕｂｓｃｒｉｂｅｒ  Ｌｉｎｅ  Ｉｎｔｅｒｆａｃｅ  Ｃｉｒｃｕｉｔ，ＳＬＩＣ）である。電話番号がＶｏＩＰ電話番号である場合、ユーザーは、ＶｏＩＰサービスを必要とする。電話番号がＰＳＴＮ電話番号である場合、ユーザーは、ＰＳＴＮサービスを必要とする。本発明の実施形態において、「ユーザーが必要とするサービス」を略して「必要とするサービス」と称する。
【００１６】
前記電話インタフェース・モジュール２２０は、第一コントロール・バス２６０を介して、複数のユーザー・インタフェース・モジュール２１０に接続されており、電話番号及びユーザー・インタフェース・モジュール２１０の識別子（ｉｄｅｎｔｉｆｉｅｒ，ＩＤ）を切替え制御モジュール２３０に告げることに用いられる。
【００１７】
前記切替え制御モジュール２３０は、電話番号に基づいて、必要とするサービスが第一サービスか第二サービスかを判断する。本実施形態において、前記切替え制御モジュール２３０は、ローカルマッチ（Ｌｏｃａｌ  Ｍａｔｃｈ）に基づいて、必要とするサービスが第一サービスか第二サービスかを判断し、例えば、ＰＳＴＮ対照表（Ｄｉｇｉｔ  Ｍａｐ）及びＶｏＩＰ対照表に基づいて判断し、又はサービスタイプマッチに基づいて判断し、又は両者を結合して判断する。
【００１８】
他の実施形態において、前記切替え制御モジュール２３０は、リモートマッチ（Ｒｅｍｏｔｅ  Ｍａｔｃｈ）に基づいて、必要とするサービスが第一サービスか第二サービスかを判断してもよく、例えば、インサービスデータベース（Ｉｎ−ｓｅｒｖｉｃｅ  Ｄａｔａｂａｓｅ）に基づいて判断する。本発明は、ＶｏＩＰとＰＳＴＮのサービス判断方式を制限しない。
【００１９】
必要とするサービスが第一サービスである場合、前記切替え制御モジュール２３０は、さらに第一命令を前記電話インタフェース・モジュール２２０に伝送し、且つ第二命令及びユーザー・インタフェース・モジュール２１０の識別子を第一処理モジュール２４０に伝送する。前記第一命令は、前記電話インタフェース・モジュール２２０がユーザー・インタフェース・モジュール２１０にタイムスロットを割り当てるようにする。前記第二命令は、前記第一処理モジュール２４０がユーザー・インタフェース・モジュール２１０にデジタルシグナルプロセッサー（Ｄｉｇｉｔａｌ  Ｓｉｇｎａｌ  Ｐｒｏｃｅｓｓｏｒ，ＤＳＰ）を割り当てるようにし、且つ割り当てられたＤＳＰにタイムスロットを割り当てる。
【００２０】
前記電話インタフェース・モジュール２２０は、受信した第一命令に基づいて、前記ユーザー・インタフェース・モジュール２１０に第一タイムスロットを割り当てる。本実施形態において、前記電話インタフェース・モジュール２２０は、前記ユーザー・インタフェース・モジュール２１０の識別子と第一時間分割データバス２７０のタイムスロットの対応関係を貯蔵し、第一命令と、ユーザー・インタフェース・モジュール２１０の識別子、及び対応関係に基づいて、前記ユーザー・インタフェース・モジュール２１０に第一タイムスロットを割り当てる。
【００２１】
図２は、本発明の実施形態において、ユーザー・インタフェース・モジュール２１０の識別子と第一時間分割データバス２７０のタイムスロットの対応関係を示す図である。本実施形態において、前記第一時間分割データバス２７０のタイムスロットの数量は、前記ユーザー・インタフェース・モジュール２１０の数量の二倍より大きいか等しくなければならない。例えば、複数のユーザー・インタフェース・モジュール２１０の数量は４８個であって、別々に第１ユーザー・インタフェース・モジュール２１０から第４８ユーザー・インタフェース・モジュール２１０であって、第１ユーザー・インタフェース・モジュール２１０の識別子は１であって、第４８ユーザー・インタフェース・モジュール２１０識別子は４８である。其の時、第一時間分割データバス２７０のタイムスロットの数量は、９６より大きくなければならなく、例えば、１２０であって、別々に第１タイムスロットから第１２０タイムスロットである。本実施形態において、第１タイムスロットを第１ユーザー・インタフェース・モジュール２１０の第一サービスに割り当て、第４９タイムスロットを第１ユーザー・インタフェース・モジュール２１０の第二サービスに割り当てる。第２タイムスロットを第２ユーザー・インタフェース・モジュール２１０の第一サービスに割り当て、第５０タイムスロットを第２ユーザー・インタフェース・モジュール２１０の第二サービスに割り当てる。これに準じて類推すると、第４８タイムスロットを第４８ユーザー・インタフェース・モジュール２１０の第一サービスに割り当て、第９６タイムスロットを第４８ユーザー・インタフェース・モジュール２１０の第二サービスに割り当てる。第９７タイムスロットから第１２０タイムスロットは、空き状態である。従って、前記電話インタフェース・モジュール２２０がユーザー・インタフェース・モジュール２１０に割り当てた第１タイムスロットは、図２に示す第１タイムスロットから第４８タイムスロットに至るまでの其の中の一つである。
【００２２】
例えば、前記切替え制御モジュール２３０は、第１ユーザー・インタフェース・モジュール２１０に接続された電話機１００が必要とするサービスが第一サービスだと判断する時、前記電話インタフェース・モジュール２２０は、第１タイムスロットを第１ユーザー・インタフェース・モジュール２１０に割り当て、前記第一処理モジュール２４０は、第１タイムスロットを第一処理モジュール２４０に割り当て、従って、前記第１ユーザー・インタフェース・モジュール２１０と第一処理モジュール２４０は、第１タイムスロットに基づいて、データを受信したり送信したりして、即ち第一サービスを提供する。
【００２３】
前記切替制御モジュール２３０は、第１ユーザー・インタフェース・モジュール２１０に接続された電話機１００が必要とするサービスが第二サービスだと判断する時、前記電話インタフェース・モジュール２２０は、第４９タイムスロットを第１ユーザー・インタフェース・モジュール２１０に割り当て、前記第二処理モジュール２５０は、第４９タイムスロットを第二処理モジュール２５０に割り当て、従って、前記第１ユーザー・インタフェース・モジュール２１０と第一処理モジュール２５０は、第４９タイムスロットに基づいて、データを受信したり送信したりして、即ち第二サービスを提供する。
【００２４】
注意しなければならないことは、本発明において、前記ユーザー・インタフェース・モジュール２１０の識別子と第一時間分割データバス２７０のタイムスロットの対応関係は、図２に示す関係に限定されるものではない。
【００２５】
他の実施形態において、前記電話インタフェース・モジュール２２０は、前記ユーザー・インタフェース・モジュール２１０の識別子と第一時間分割データバス２７０のタイムスロットの対応関係を貯蔵しなくてもよく、ただ第一命令に基づいて、前記ユーザー・インタフェース・モジュール２１０に動的に第一タイムスロットを割り当てる。
【００２６】
図１をもう一度参照すると、前記第一処理モジュール２４０は、前記第一時間分割データバス２７０を介して、前記ユーザー・インタフェース・モジュール２１０に接続されており、必要とするサービスが第一サービスである場合、前記第一処理モジュール２４０に第一タイムスロットを割り当てることに用いられる。従って、前記ユーザー・インタフェース・モジュール２１０と前記第一処理モジュール２４０は、第一タイムスロットに基づいて、前記第一時間分割データバス２７０によって、データを受信したり送信したりして、即ち電話機１００に第一サービスを提供する。
【００２７】
本実施形態において、前記第一処理モジュール２４０は、一つの第一サービスモジュール２４１と、複数のＤＳＰ２４２と、一つのネットワークモジュール２４３と、一つの第二コントロール・バス２４４とを備える。
【００２８】
前記第二コントロール・バス２４４は、前記第一サービスモジュール２４１と複数のＤＳＰ２４２を接続することに用いられる。本実施形態において、前記第二コントロール・バス２４４は、パラレル・バスであって、例えば、ホストポートインタフェース（Ｈｏｓｔ  Ｐｏｒｔ  Ｉｎｔｅｒｆａｃｅ，ＨＰＩ）バスである。
【００２９】
複数のＤＳＰ２４２は、前記第一時間分割データバス２７０を介して、複数のユーザー・インタフェース・モジュール２１０に接続される。本実施形態において、複数のＤＳＰ２４２の数量と複数のユーザー・インタフェース・モジュール２１０の数量は等しい。
【００３０】
前記第一サービスモジュール２４１は、第二命令に基づいて、前記ユーザー・インタフェース・モジュール２１０に一つのＤＳＰ２４２を割り当てることに用いられ、且つ割り当てられたＤＳＰ２４２に第一タイムスロットを割り当てる。本実施形態において、前記第一サービスモジュール２４１は、前記ユーザー・インタフェース・モジュール２１０の識別子と第一時間分割データバス２７０のタイムスロットの対応関係を貯蔵してある。前記第一サービスモジュール２４１は、先ず前記切替え制御モジュール２３０から第二命令及びユーザー・インタフェース・モジュール２１０の識別子を受信し、それから第二命令、ユーザー・インタフェース・モジュール２１０の識別子、及び対応関係に基づいて、割り当てられたＤＳＰ２４２に第一タイムスロットを割り当てる。
【００３１】
他の実施形態において、前記第一サービスモジュール２４１は、前記ユーザー・インタフェース・モジュール２１０の識別子と第一時間分割データバス２７０のタイムスロットの対応関係を貯蔵しなくてもよく、ただ第二命令に基づいて、割り当てられたＤＳＰ２４２に動的に第一タイムスロットを割り当てる。
【００３２】
従って、前記ユーザー・インタフェース・モジュール２１０と割り当てられたＤＳＰ２４２は、第一タイムスロットに基づいて、第一時間分割データバス２７０よって、データを受信したり送信したりする。
【００３３】
前記電話機１００は、前記ネットワーク音声通信装置２００を介して、第一ネットワーク３００にデータを伝送する時、前記ユーザー・インタフェース・モジュール２１０は、先ず電話機１００からアナログ信号を受信し、且つ前記アナログ信号をデジタル信号に変換する。割り当てられたＤＳＰ２４２は、第一タイムスロットに基づいて、第一時間分割データバス２７０によって、デジタル信号を受信し、且つ前記デジタル信号をリアルタイム輸送プロトコル（Ｒｅａｌｔｉｍｅ  Ｔｒａｎｓｐｏｒｔ  Ｐｒｏｔｏｃｏｌ，ＲＴＰ）データに変換する。ネットワークモジュール２４３は、ＲＴＰデータをＲＴＰパケットに変換し、且つＲＴＰパケットを第一ネットワーク３００に伝送する。
【００３４】
前記電話機１００は、ネットワーク音声通信装置２００を介して、前記第一ネットワーク３００からデータを受信する時、ネットワークモジュール２４３は、先ず第一ネットワーク３００からＲＴＰパケットを受信し、且つＲＴＰパケットをＲＴＰデータに変換する。割り当てられたＤＳＰ２４２は、ＲＴＰデータをデジタル信号に変換する。前記ユーザー・インタフェース・モジュール２１０は、第一タイムスロットに基づいて、第一時間分割データバス２７０によって、デジタル信号を受信し、デジタル信号をアナログ信号に変換し、且つアナログ信号を対応する電話機１００に伝送する。
【００３５】
前記切替え制御モジュール２３０は、必要とするサービスが第二サービスだと判断する時、さらに電話インタフェース・モジュール２２０に第三命令を伝送することに用いられ、且つ第二処理モジュール２５０に第四命令及びユーザー・インタフェース・モジュール２１０の識別子を伝送する。前記第三命令は、前記電話インタフェース・モジュール２２０がユーザー・インタフェース・モジュール２１０にタイムスロットを割り当てるようにする。前記第四命令は、前記第二処理モジュール２５０がタイムスロットを使用するようにする。
【００３６】
前記電話インタフェース・モジュール２２０は、受信した第三命令に基づいて、前記ユーザー・インタフェース・モジュール２１０に第二タイムスロットを割り当てる。本実施形態において、前記電話インタフェース・モジュール２２０は、ユーザー・インタフェース・モジュール２１０の識別子と第一時間分割データバス２７０のタイムスロットの対応関係を貯蔵し、第三命令、ユーザー・インタフェース・モジュール２１０の識別子、及び対応関係に基づいて、前記ユーザー・インタフェース・モジュール２１０に第二タイムスロットを割り当てる。図２に示す例において、第二タイムスロットは、第４９タイムスロットから第９６タイムスロットまでの中の一つである。
【００３７】
他の実施形態において、前記電話インタフェース・モジュール２２０は、前記ユーザー・インタフェース・モジュール２１０の識別子と第一時間分割データバス２７０のタイムスロットの対応関係を貯蔵しなくてもよく、ただ第三命令に基づいて、前記ユーザー・インタフェース・モジュール２１０に動的に第二タイムスロットを割り当てる。
【００３８】
前記第二処理モジュール２５０は、前記第一時間分割データバス２７０を介して、複数のユーザー・インタフェース・モジュール２１０に接続されており、必要とするサービスが第二サービスである場合、第二処理モジュール２５０に第二タイムスロットを割り当てることに用いられる。従って、前記ユーザー・インタフェース・モジュール２１０と前記第二処理モジュール２５０は、第二タイムスロットに基づいて、前記第一時間分割データバス２７０によって、データを受信したり送信したりして、即ち電話機１００に第二サービスを提供する。
【００３９】
本実施形態において、前記第二処理モジュール２５０は、一つの第二サービスモジュール２５１と、一つの時間分割切替えモジュール２５２と、一つの同期輸送モジュール（Ｓｙｎｃｈｒｏｎｏｕｓ  Ｔｒａｎｓｍｉｓｓｏｎ  Ｍｏｄｕｌｅ）２５３と、一つの第三コントロール・バス２５４と、一つの第二時間分割データバス２５５とを備える。
【００４０】
前記第三コントロール・バス２５４は、前記第二サービスモジュール２５１と時間分割切替えモジュール２５２を接続することに用いられる。本実施形態において、前記第三コントロール・バス２５４は、パラレル・バスであって、例えば、ＨＰＩバスである。
【００４１】
前記時間分割切替えモジュール２５２は、前記第一時間分割データバス２７０を介して、複数のユーザー・インタフェース・モジュール２１０に接続される。
【００４２】
前記第二サービスモジュール２５１は、第四命令に基づいて、前記時間分割切替えモジュール２５２に第二タイムスロットを割り当てることに用いられる。本実施形態において、前記第二サービスモジュール２５１は、前記ユーザー・インタフェース・モジュール２１０の識別子と前記第一時間分割データバス２７０のタイムスロットの対応関係を貯蔵してある。前記第二サービスモジュール２５１は、先ず切替制御モジュール２３０から第四命令及びユーザー・インタフェース・モジュール２１０の識別子を受信してから、第四命令、ユーザー・インタフェース・モジュール２１０の識別子、及び対応関係に基づいて、前記時間分割切替えモジュール２５２に第二タイムスロットを割り当てる。
【００４３】
他の実施形態において、前記第二サービスモジュール２５１は、前記ユーザー・インタフェース・モジュール２１０の識別子と前記第一時間分割データバス２７０のタイムスロットの対応関係を貯蔵しなくてもよく、ただ第四命令に基づいて、前記時間分割切替えモジュール２５２に動的に第二タイムスロットを割り当てる。
【００４４】
従って、前記ユーザー・インタフェース・モジュール２１０と前記時間分割切替えモジュール２５２は、第二タイムスロットに基づいて、前記第一時間分割データバス２７０によって、データを受信したり送信したりする。
【００４５】
前記電話機１００がネットワーク音声通信装置２００を介して第二ネットワーク４００にデータを伝送する時、前記ユーザー・インタフェース・モジュール２１０は、先ず対応する電話機１００からアナログ信号を受信し、且つ前記アナログ信号をデジタル信号に変換する。前記時間分割切替えモジュール２５２は、第二タイムスロットに基づいて、前記第一時間分割データバス２７０によって、デジタル信号を受信し、且つ前記デジタル信号を第二タイムスロットから第三タイムスロットに切替える。前記同期輸送モジュール２５３は、前記第二時間分割データバス２５５によって、切替えられたタイムスロット（即ち第三タイムスロット）のデジタル信号を受信し、切替えられたタイムスロットのデジタル信号をＥ１/Ｔ１（Ｅ１：ヨーロッパのデジタル輸送書式、Ｔ１：米国のデジタル輸送書式）信号に変換し、且つ前記Ｅ１/Ｔ１信号を第二ネットワーク４００に伝送する。
【００４６】
前記電話機１００がネットワーク音声通信装置２００を介して前記第二ネットワーク４００からデータを受信する時、前記同期輸送モジュール２５３は、前記第二ネットワーク４００からＥ１/Ｔ１信号を受信し、且つ前記Ｅ１/Ｔ１信号をデジタル信号に変換する。前記時間分割切替えモジュール２５２は、前記第二時間分割データバス２５５を介して、デジタル信号を受信し、且つ前記デジタル信号を第三タイムスロットから第二タイムスロットに切替える。前記ユーザー・インタフェース・モジュール２１０は、第二タイムスロットに基づいて、前記第一時間分割データバス２７０によって、切替えられたタイムスロットのデジタル信号を受信し、切替えられたタイムスロットのデジタル信号をアナログ信号に変換し、且つ前記アナログ信号を対応する電話機１００に伝送する。
【００４７】
図３は、本発明の実施形態のサービス切替え方法を示すフローチャートである。
【００４８】
ステップＳ３００において、複数のユーザー・インタフェース・モジュール２１０の其の中の一つは、一つの電話番号を受信する。本実施形態において、前記ユーザー・インタフェース・モジュール２１０は、対応する電話機１００から電話番号を受信し、且つ電話インタフェースモジュール２２０を介して、電話番号を切替え制御モジュール２３０に伝送する。
【００４９】
ステップＳ３０２において、前記切替え制御モジュール２３０は、電話番号に基づいて、必要とするサービスが第一サービスであるかどうかを判断する。
【００５０】
必要とするサービスが第一サービスである場合、ステップＳ３０４において、前記電話インタフェースモジュール２２０と第一処理モジュール２４０は、別々にユーザー・インタフェース・モジュール２１０と第一処理モジュール２４０に第一タイムスロットを割り当てる。
【００５１】
ステップＳ３０６において、前記ユーザー・インタフェース・モジュール２１０と第一処理モジュール２４０は、第一タイムスロットに基づいて、第一時間分割データバス２７０によって、データを受信したり送信したりして、即ち電話機１００に第一サービスを提供する。
【００５２】
必要とするサービスが第一サービスでなければ、ステップＳ３０８において、前記電話インタフェースモジュール２２０と第二処理モジュール２５０は、別々にユーザー・インタフェース・モジュール２１０と第二処理モジュール２５０に第二タイムスロットを割り当てる。
【００５３】
ステップＳ３１０において、ユーザー・インタフェース・モジュール２１０と第二処理モジュール２５０は、第二タイムスロットに基づいて、第一時間分割データバス２７０によって、データを受信したり送信したりして、即ち電話機１００に第二サービスを提供する。
【００５４】
図４は、図３に示すサービス切替え方法の具体的なフローチャートである。
【００５５】
ステップＳ４００において、複数のユーザー・インタフェース・モジュール２１０の其の中の一つは、対応する電話機１００から一つの電話番号を受信する。
【００５６】
ステップＳ４０２において、前記ユーザー・インタフェース・モジュール２１０は、電話番号を電話インタフェースモジュール２２０に告げる。
【００５７】
ステップＳ４０４において、前記電話インタフェースモジュール２２０は、電話番号及びユーザー・インタフェース・モジュール２１０の識別子を切替え制御モジュール２３０に告げる。
【００５８】
ステップＳ４０６において、前記切替え制御モジュール２３０は、電話番号に基づいて、必要とするサービスが第一サービスであるかどうかを判断する。本実施形態において、前記切替え制御モジュール２３０は、ローカルマッチに基づいて、必要とするサービスが第一サービスであるかどうかを判断することができる。
【００５９】
他の実施形態において、前記切替え制御モジュール２３０は、リモートマッチに基づいて、必要とするサービスが第一サービスであるかどうかを判断してもよい。本発明は、ＶｏＩＰとＰＳＴＮのサービス判断方式を制限しない。
【００６０】
必要とするサービスが第一サービスである場合、ステップＳ４０８において、前記切替え制御モジュール２３０は、前記電話インタフェース・モジュール２２０に第一命令を伝送し、且つ第一サービスモジュール２４１に第二命令及びユーザー・インタフェース・モジュール２１０の識別子を伝送する。前記第一命令は、電話インタフェース・モジュール２２０がユーザー・インタフェース・モジュール２１０にタイムスロットを割り当てるようする。前記第二命令は、第一サービスモジュール２４１がユーザー・インタフェース・モジュール２１０にＤＳＰ２４２を割り当てるようにし、且つ割り当てられたＤＳＰ２４２にタイムスロットを割り当てる。
【００６１】
ステップＳ４１０において、前記電話インタフェース・モジュール２２０は、第一命令に基づいて、前記ユーザー・インタフェース・モジュール２１０に第一タイムスロットを割り当てる。本実施形態において、前記電話インタフェース・モジュール２２０は、前記ユーザー・インタフェース・モジュール２１０の識別子と第一時間分割データバス２７０のタイムスロットの対応関係を貯蔵し、第一命令、ユーザー・インタフェース・モジュール２１０の識別子、及び対応関係に基づいて、前記ユーザー・インタフェース・モジュール２１０に第一タイムスロットを割り当てる。
【００６２】
他の実施形態において、前記電話インタフェース・モジュール２２０は、前記ユーザー・インタフェース・モジュール２１０の識別子と第一時間分割データバス２７０のタイムスロットの対応関係を貯蔵しなくてもよく、ただ第一命令に基づいて、前記ユーザー・インタフェース・モジュール２１０に動態的に第一タイムスロットを割り当てる。
【００６３】
ステップＳ４１２において、前記第一サービスモジュール２４１は、第二命令に基づいて、前記ユーザー・インタフェース・モジュール２１０に一つのＤＳＰ２４２を割り当て、且つ割り当てられたＤＳＰ２４２に第一タイムスロットを割り当てる。本実施形態において、前記第一サービスモジュール２４１は、前記ユーザー・インタフェース・モジュール２１０の識別子と第一時間分割データバス２７０のタイムスロットの対応関係を貯蔵してある。前記第一サービスモジュール２４１は、先ず切替え制御モジュール２３０から第二命令及びユーザー・インタフェース・モジュール２１０の識別子を受信し、それから第二命令、ユーザー・インタフェース・モジュール２１０の識別子、及び対応関係に基づいて、割り当てられたＤＳＰ２４２に第一タイムスロットを割り当てる。
【００６４】
他の実施形態において、前記第一サービスモジュール２４１は、前記ユーザー・インタフェース・モジュール２１０の識別子と第一時間分割データバス２７０のタイムスロットの対応関係を貯蔵しなくてもよく、ただ第二命令に基づいて、割り当てられたＤＳＰ２４２に動態的に第一タイムスロットを割り当てる。
【００６５】
本実施形態において、ステップＳ４１０とステップＳ４１２の実行順序を制限しなく、同時に実行することができ、又は前後順序に従って実行してもよい。
【００６６】
ステップＳ４１４において、前記ユーザー・インタフェース・モジュール２１０と割り当てられたＤＳＰ２４２は、第一タイムスロットに基づいて、第一時間分割データバス２７０によって、データを受信したり送信したりする。
【００６７】
前記切替え制御モジュール２３０は、必要とするサービスが第一サービスではないと判断する時、ステップＳ４１６において、電話インタフェース・モジュール２２０に第三命令を伝送し、且つ第二サービスモジュール２５１に第四命令及びユーザー・インタフェース・モジュール２１０の識別子を伝送する。前記第三命令は、前記電話インタフェース・モジュール２２０がユーザー・インタフェース・モジュール２１０にタイムスロットを割り当てるようにする。前記第四命令は、第二サービスモジュール２５１が時間分割切替えモジュール２５２にタイムスロットを割り当てるようにする。
【００６８】
ステップＳ４１８において、前記電話インタフェース・モジュール２２０は、第三命令に基づいて、前記ユーザー・インタフェース・モジュール２１０に第二タイムスロットを割り当てる。本実施形態において、前記電話インタフェース・モジュール２２０は、ユーザー・インタフェース・モジュール２１０の識別子と第一時間分割データバス２７０のタイムスロットの対応関係を貯蔵し、第三命令、ユーザー・インタフェース・モジュール２１０の識別子、及び対応関係に基づいて、前記ユーザー・インタフェース・モジュール２１０に第二タイムスロットを割り当てる。
【００６９】
他の実施形態において、前記電話インタフェース・モジュール２２０は、前記ユーザー・インタフェース・モジュール２１０の識別子と第一時間分割データバス２７０のタイムスロットの対応関係を貯蔵しなくてもよく、ただ第三命令に基づいて、前記ユーザー・インタフェース・モジュール２１０に動態的に第二タイムスロットを割り当てる。
【００７０】
ステップＳ４２０において、前記第二サービスモジュール２５１は、第四命令に基づいて、前記時間分割切替えモジュール２５２に第二タイムスロットを割り当てる。本実施形態において、前記第二サービスモジュール２５１は、前記ユーザー・インタフェース・モジュール２１０の識別子と前記第一時間分割データバス２７０のタイムスロットの対応関係を貯蔵してある。前記第二サービスモジュール２５１は、先ず切替え制御モジュール２３０から第四命令及びユーザー・インタフェース・モジュール２１０の識別子を受信してから、第四命令、ユーザー・インタフェース・モジュール２１０の識別子、及び対応関係に基づいて、前記時間分割切替えモジュール２５２に第二タイムスロットを割り当てる。
【００７１】
他の実施形態において、前記第二サービスモジュール２５１は、前記ユーザー・インタフェース・モジュール２１０の識別子と前記第一時間分割データバス２７０のタイムスロットの対応関係を貯蔵しなくてもよく、ただ第四命令に基づいて、前記時間分割切替えモジュール２５２に動態的に第二タイムスロットを割り当てる。
【００７２】
本実施形態において、ステップＳ４１８とステップＳ４２０の実行順序を制限しなく、同時に実行することができ、又は前後順序に従って実行してもよい。
【００７３】
ステップＳ４２２において、前記ユーザー・インタフェース・モジュール２１０と前記時間分割切替えモジュール２５２は、第二タイムスロットに基づいて、前記第一時間分割データバス２７０によって、データを受信したり送信したりする。
【００７４】
従って、ネットワーク音声通信装置２００は、ＴＤＭ方式を利用して、第一サービス又は第二サービスを簡単且つ自動的に切替えることができる。
【図面の簡単な説明】
【００７５】
【図１】本発明の実施形態のネットワーク音声通信装置の構成を示すブロック図である。
【図２】本発明の実施形態において、ユーザー・インタフェース・モジュールの識別子と第一時間分割データバスのタイムスロットの対応関係を示す図である。
【図３】本発明の実施形態のサービス切替え方法を示すフローチャートである。
【図４】図３に示すサービス切替え方法の具体的なフローチャートである。
【符号の説明】
【００７６】
１００  電話機
２００  ネットワーク音声通信装置
２１０  ユーザー・インタフェース・モジュール
２２０  電話インタフェース・モジュール
２３０  切替え制御モジュール
２４０  第一処理モジュール
２４１  第一サービスモジュール
２４２  ＤＳＰ（Ｄｉｇｉｔａｌ  Ｓｉｇｎａｌ  Ｐｒｏｃｅｓｓｏｒ）
２４３  ネットワークモジュール
２４４  第二コントロール・バス
２５０  第二処理モジュール
２５１  第二サービスモジュール
２５２  時間分割切替えモジュール
２５３  同期輸送モジュール
２５４  第三コントロール・バス
２５５  第二時間分割データバス
２６０  第一コントロール・バス
２７０  第一時間分割データバス
３００  第一ネットワーク
４００  第二ネットワーク
【図１】
2008099258.tif 000003
【図２】
2008099258.tif 000004
【図３】
2008099258.tif 000005
【図４】
2008099258.tif 000006